【手続補正書】
【提出日】平成27年11月25日(2015.11.25)
【手続補正１】
【補正対象書類名】特許請求の範囲
【補正対象項目名】全文
【補正方法】変更
【補正の内容】
【特許請求の範囲】
【請求項１】
論理リンク制御プロトコル(LLCP)分離通信を実行するように動作可能である近接場通信(NFC)コントローラ(NFCC)により、遠隔NFCエンドポイントからプロトコルデータユニット(PDU)を受信するステップと、
前記受信したPDUがSYMM PDUであるか、またはリンク非アクティブ化PDUであるかを判定するステップであって、前記SYMM PDUおよび前記リンク非アクティブ化PDUはLLCPリンクに関連する、ステップと、
前記受信したPDUがSYMM PDUでもリンク非アクティブ化PDUでもないと判定すると、前記NFCCが前記受信したPDUをデバイスホスト(DH)に通信するステップと
を含み、
前記NFCCが対称タイマの期限切れの前に前記DHから第2のPDUを受信するステップと、
前記第2のPDUが、前記遠隔NFCエンドポイントへの送信に利用できるかどうかを判定するステップと、
前記第2のPDUが送信に利用できると判定すると、前記NFCCが前記対称タイマの期限切れの前に前記遠隔NFCエンドポイントに前記第2のPDUを送信するステップと
を含む、通信の方法。
【請求項２】
前記対称タイマの期限切れの前に、前記第2のPDUは、前記遠隔NFCエンドポイントへの送信に利用できないと判定するステップと、
第2のSYMM PDUを生成するステップと、
前記対称タイマが前記期限切れになると、前記遠隔NFCエンドポイントに前記第2のSYMM PDUを送信するステップと
をさらに含む、請求項1に記載の方法。
【請求項３】
前記NFCCがSYMM PDUを送信する前に前記DHからPDUを受信するのを待つ時間期間を定義する前記対称タイマと、前記NFCCが前記DHにリンク障害メッセージを通信する前に前記遠隔NFCエンドポイントからのPDUを待つ時間期間を定義するリンクタイムアウトタイマとを前記DHから受信するステップであって、前記対称タイマおよびリンクタイムアウトタイマは、
コアセット構成メッセージ内のパラメータ、または
前記LLCP分離通信の構成に固有の命令
のうちの少なくとも1つとして受信される、ステップ
をさらに含む、請求項1に記載の方法。
【請求項４】
前記対称タイマおよび前記リンクタイムアウトタイマに関連する値は、ゼロに設定されており、
前記DHに任意の受信したPDUを通信するステップと、
前記遠隔NFCエンドポイントに前記DHから受信したPDUのみを通信するステップと
をさらに含む、請求項3に記載の方法。
【請求項５】
前記判定するステップは、前記受信したPDUが前記リンク非アクティブ化PDUであると判定するステップと、
前記LLCPリンクのリンク非アクティブ化プロシージャを実行するステップと
をさらに含む、請求項1に記載の方法。
【請求項６】
論理リンク制御プロトコル(LLCP)分離通信を実行するように動作可能である近接場通信(NFC)コントローラ(NFCC)により、遠隔NFCエンドポイントからプロトコルデータユニット(PDU)を受信し、
前記受信したPDUがSYMM PDUであるか、またはリンク非アクティブ化PDUであるかを判定し、前記SYMM PDUおよび前記リンク非アクティブ化PDUはLLCPリンクに関連しており、
前記受信したPDUがSYMM PDUでもリンク非アクティブ化PDUでもないと判定すると、前記NFCCが前記受信したPDUをデバイスホスト(DH)に通信する
ためのコードを含み、
前記NFCCが対称タイマの期限切れの前に前記DHから第2のPDUを受信し、
前記第2のPDUが、前記遠隔NFCエンドポイントへの送信に利用できるかどうかを判定し、
前記第2のPDUが送信に利用できると判定すると、前記NFCCが前記対称タイマの期限切れの前に前記遠隔NFCエンドポイントに前記第2のPDUを送信する
ためのコードを含む、コンピュータプログラム。
【請求項７】
前記対称タイマの期限切れの前に、前記第2のPDUは、前記遠隔NFCエンドポイントへの送信に利用できないと判定するステップと、
第2のSYMM PDUを生成するステップと、
前記対称タイマが前記期限切れになると、前記遠隔NFCエンドポイントに前記第2のSYMM PDUを送信するステップと
をさらに含む、請求項6に記載のコンピュータプログラム。
【請求項８】
前記NFCCがSYMM PDUを送信する前に前記DHからPDUを受信するのを待つ時間期間を定義する前記対称タイマと、前記NFCCが前記DHにリンク障害メッセージを通信する前に前記遠隔NFCエンドポイントからのPDUを待つ時間期間を定義するリンクタイムアウトタイマとを前記DHから受信するステップであって、前記対称タイマおよびリンクタイムアウトタイマは、
コアセット構成メッセージ内のパラメータ、または
前記LLCP分離通信の構成に固有の命令
のうちの少なくとも1つとして受信される、ステップ
をさらに含む、請求項6に記載のコンピュータプログラム。
【請求項９】
前記対称タイマおよび前記リンクタイムアウトタイマに関連する値は、ゼロに設定されており、
前記DHに任意の受信したPDUを通信するステップと、
前記遠隔NFCエンドポイントに前記DHから受信したPDUのみを通信するステップと
をさらに含む、請求項8に記載のコンピュータプログラム。
【請求項１０】
前記判定するステップは、前記受信したPDUが前記リンク非アクティブ化PDUであると判定するステップと、
前記LLCPリンクのリンク非アクティブ化プロシージャを実行するステップと
をさらに含む、請求項6に記載のコンピュータプログラム。
【請求項１１】
論理リンク制御プロトコル(LLCP)分離通信を実行するように動作可能である近接場通信(NFC)コントローラ(NFCC)により、遠隔NFCエンドポイントからプロトコルデータユニット(PDU)を受信する手段と、
前記受信したPDUがSYMM PDUであるか、またはリンク非アクティブ化PDUであるかを判定する手段であって、前記SYMM PDUおよび前記リンク非アクティブ化PDUはLLCPリンクに関連する、手段と、
前記受信したPDUがSYMM PDUでもリンク非アクティブ化PDUでもないと判定すると、前記受信したPDUを前記NFCCによりデバイスホスト(DH)に通信する手段と
を含み、
対称タイマの期限切れの前に前記NFCCにより前記DHから第2のPDUを受信する手段と、
前記第2のPDUが、前記遠隔NFCエンドポイントへの送信に利用できるかどうかを判定する手段と、
前記第2のPDUが送信に利用できると判定すると、前記対称タイマの期限切れの前に前記NFCCにより前記遠隔NFCエンドポイントに前記第2のPDUを送信する手段と
を含む、通信のための装置。
【請求項１２】
判定する前記手段は、
前記対称タイマの期限切れの前に、前記第2のPDUは、前記遠隔NFCエンドポイントへの送信に利用できないと判定し、
第2のSYMM PDUを生成する
ようにさらに構成され、
前記対称タイマが前記期限切れになると、前記遠隔NFCエンドポイントに前記第2のSYMM PDUを送信する手段
をさらに含む、請求項11に記載の装置。
【請求項１３】
受信する前記手段は、前記NFCCがSYMM PDUを送信する前に前記DHからPDUを受信するのを待つ時間期間を定義する前記対称タイマと、前記NFCCが前記DHにリンク障害メッセージを通信する前に前記遠隔NFCエンドポイントからのPDUを待つ時間期間を定義するリンクタイムアウトタイマとを前記DHから受信するようにさらに構成され、前記対称タイマおよびリンクタイムアウトタイマは、
コアセット構成メッセージ内のパラメータ、または
前記LLCP分離通信の構成に固有の命令
のうちの少なくとも1つとして受信される、
請求項11に記載の装置。
【請求項１４】
前記対称タイマおよび前記リンクタイムアウトタイマに関連する値は、ゼロに設定されており、通信する前記手段は、
前記DHに任意の受信したPDUを通信し、
前記遠隔NFCエンドポイントに前記DHから受信したPDUのみを通信する
ようにさらに構成される、請求項13に記載の装置。
【請求項１５】
判定する前記手段は、前記受信したPDUが前記リンク非アクティブ化PDUであると判定するようにさらに構成され、
前記LLCPリンクのリンク非アクティブ化プロシージャを実行するステップと
をさらに含む、請求項11に記載の装置。